(57)【要約】【課題】  暖房運転時に室内機の稼動している台数が少数の場合、室外機にある圧縮機の能力を小さく出来ずに、圧縮機がＯＮ／ＯＦＦを繰り返してしまう問題があった。【解決手段】  本発明は、上記問題を解決する為に、ガス管と液管をバイパスするバイパス通路を設けている。上記のように暖房運転時で室内機の稼動台数が少数の場合、そのバイパス通路に冷媒の一部を流すことで、室内機に流れる冷媒の量を減らし、圧縮機を止めることなく暖房能力を下げることを目的とするものである。【選択図】  図１
2010230288.tif 000002
【特許請求の範囲】
【請求項１】
室外機側冷媒回路と、
前記室外機側冷媒回路の液管側に接続される液管と、
前記室外機側冷媒回路のガス管側に接続されるガス管と、
前記液管内の冷媒と前記ガス管内の冷媒とが熱交換できるように、前記液管と前記ガス管との間に設けられた熱交換器部と、
暖房運転時の冷凍サイクルで前記熱交換器部よりも下流側の前記ガス管と、前記熱交換器部よりも上流側の前記液管とをバイパスするバイパス管と、
前記バイパス管上に設けられたバイパス管電磁弁とを少なくとも備えた分岐ユニットであって、
暖房運転能力に応じて、前記バイパス管電磁弁の開度を調整可能とすることを特徴とする分岐ユニット。
【請求項２】
暖房運転時に能力を低くする場合、前記バイパス管電磁弁を開ける方向に調整することを特徴とする請求項１に記載の分岐ユニット。
【請求項３】
室外機側冷媒回路と、複数の室内機側冷媒回路とを接続する為の空気調和機の分岐ユニットであって、
前記室外機側冷媒回路のガス管側に接続されるガス管と、
前記室内機側冷媒回路のガス管側に接続される複数のガス管側分岐配管と、
前記ガス管と前記ガス管側分岐配管に分岐するガス管分岐部と、
前記室外機側冷媒回路の液管側に接続される液管と、
前記室内機側冷媒回路の液管側に接続される複数の液管側分岐配管と、
前記液管から前記液管側分岐配管に分岐する液管分岐部と、
前記液管内の冷媒と前記ガス管内の冷媒とが熱交換できるように、前記液管と前記ガス管との間に設けられた熱交換器部と、
前記ガス管上で暖房時の冷凍サイクルで前記熱交換器部より上流側に設けた第三電磁弁と、
前記ガス管上で暖房時の冷凍サイクルで前記熱交換器部より下流側に設けた第二電磁弁と、
前記第三電磁弁と前記第二電磁弁を冷媒が通過しないように、暖房時の冷凍サイクルで前記第三電磁弁より上流側のガス管と、前記第二電磁弁より下流側のガス管とをバイパスする為の第一バイパス通路と、
前記第一バイパス通路上に設けられた第一電磁弁と、
前記第二電磁弁と前記熱交換器部との間と、前記液管側分岐部と前記熱交換器部との間をバイパスする第二バイパス通路と、
前記第二バイパス通路上に設けられた第一電子膨張弁とを少なくとも備えたことを特徴とする分岐ユニット。
【請求項４】
暖房運転時に低能力で動作する場合、前記第一電磁弁と前記第三電磁弁を開け、前記第二電磁弁を閉め、前記第一電子膨張弁の開度を調整可能とすることを特徴とする請求項３に記載の分岐ユニット。
【請求項５】
室外機側冷媒回路と、複数の室内機側冷媒回路とを接続する為の空気調和機の分岐ユニットであって、
前記室外機側冷媒回路のガス管側に接続されるガス管と、
前記室内機側冷媒回路のガス管側に接続される複数のガス管側分岐配管と、
前記ガス管と前記ガス管側分岐配管に分岐するガス管分岐部と、
前記室外機側冷媒回路の液管側に接続される液管と、
前記室内機側冷媒回路の液管側に接続される複数の液管側分岐配管と、
前記液管から前記液管側分岐配管に分岐する液管分岐部と、
前記液管と前記液管分岐部との間に設けられた第五電子膨張弁と、
前記液管内で前記第五電子膨張弁を通過する前の冷媒と、前記第五電子膨張弁を通過した後の冷媒とを熱交換するように、膨張弁の前後にある前記液管の間に設けられた熱交換器部と、
前記液管分岐部と前記熱交換器部との間の前記液管と、前記ガス管とをバイパスする第二バイパス通路と、
前記第二バイパス通路上に設けられた第一電子膨張弁とを少なくとも備えた分岐ユニット
【請求項６】
暖房運転時に低能力で動作する場合、前記第一電子膨張弁の開度を調整可能とすることを特徴とする請求項５に記載の分岐ユニット。
【発明の詳細な説明】
【技術分野】
【０００１】
この発明は、空気調和機の室外機と複数の室内機とを接続する分岐ユニットに関するものである。
【背景技術】
【０００２】
一台の室外機に一台の室内機が接続される、所謂ペアタイプの空気調和機では、冷媒配管が短く、また膨張弁で発生する冷媒流動音を室内へ漏らさない為、室外機に膨張弁を設けている場合が多い。一方、一台の室外機に対して複数台の室内機が並列に接続されるマルチタイプの空気調和機では、室内機の膨張弁有無に関係なく室外機と接続できるように室外機と複数の室内機の間に設けられた分岐ユニット内に膨張弁を設けている場合が多い。また、マルチタイプの空気調和機は、膨張弁と室内機の間の冷媒配管が長くなると、冷媒がその長い配管を通過する間に圧力損失により冷媒の圧力が低下し、また配管と外気によって熱交換されてしまい、冷媒の状態が変化する為、冷房能力が落ちる恐れがある。その為、膨張弁を設けた分岐ユニットを必要に応じて室外機と複数の室内機の間の内、室内機の近くに接続している。さらに、マルチタイプの空気調和機では複数台の室内機が個別に稼動している。そこで、複数の室内機に接続される分岐ユニット内の各々の冷媒配管に膨張弁を設けることで、室内機に流れる冷媒の量を個別に調整することが出来る。
【０００３】
しかし、上述のように分岐ユニットを室内機近傍に配置すると冷房能力は改善されるが、室外機から分岐ユニット内の膨張弁までの配管が長くなる。その為、冷媒が膨張弁に至るまでに熱交換をしてしまい、液・ガス混合状態の２相流に変化してしまう恐れがある。この２相流となった冷媒が膨張弁を通過すると多大な冷媒通過音が発生する。そこで、膨張弁の近傍に熱交換器を設けて、冷媒を冷却して解決している技術が知られており、例えば、特開２００２−１３８４２号公報に開示されているものがある。この従来技術では、分岐ユニット内にある膨張弁を通過する前の冷媒と、膨張弁を通過した後の冷媒を熱交換することで、膨張弁を通過する前の冷媒を冷却するものである。これにより、膨張弁を通過する前の冷媒の状態を改善することができ、また冷媒通過音を防ぐことが出来る。
【０００４】
しかし、従来技術である特開２００２−１３８４２号公報に開示されている分岐ユニットでは、冷房時に室内機に流れ込む冷媒がその前に熱交換器で熱交換して、蒸発してしまう為、冷房能力が落ちてしまう。また、熱交換器に冷媒を通す為、膨張弁を余計に追加しなければいけない問題があった。そこで、分岐ユニット内にある膨張弁を通過した後の冷媒で熱交換する代わりに、室内機を通過した後の冷媒で熱交換する技術が知られている。この技術を用いることで、冷房能力を改善し、部品点数の増加を抑えることが出来る。ただし、暖房時は冷媒の流れが逆であり、室内機に入る高温冷媒が分岐ユニット内の熱交換器を通過して、熱交換をする為、冷媒の温度が下がり、暖房能力が下がってしまう。そこで、暖房運転時は分岐ユニット内の熱交換器をバイパスするようにバイパス通路を設け、冷房運転時、暖房運転時に応じて適切に冷媒を流すように制御している。その分岐ユニットの一例として、特開平８−６１７４４号公報に開示されている分岐ユニットがある。
【先行技術文献】
【特許文献】
【０００５】
【特許文献１】特開２００２−１３８４２号公報
【特許文献２】特開平８−６１７４４号公報
【発明の概要】
【発明が解決しようとする課題】
【０００６】
しかし、特開２００２−１３８４２号公報と特開平８−６１７４４号公報に開示されている分岐ユニットでは、室外機の能力が大きな多室形空気調和機において暖房運転時に室内機が１、２台といった少数の台数しか稼動していない場合、圧縮機を最小能力よりも下げることが出来ず、稼動している室内機に冷媒が室内機の能力以上に流れ込むことがあった。そのため、圧縮機を止めるしか方法が無く、圧縮機が短時間にＯＮ（サーモオン）とＯＦＦ（サーモオフ）を繰り返すことにより、圧縮機の寿命を短くしたり、空気調和機が断続的に動作することで快適性を損なったりする問題があった。
【０００７】
本発明は、暖房運転時で室内機が少数しか稼動していない場合に圧縮機がＯＮとＯＦＦを繰り返さない為に、室内機へ流れ込む冷媒の量を減らす分岐ユニットを提供することを目的とする。
【課題を解決するための手段】
【０００８】
上記目的を解決する為に、本発明は、室外機側冷媒回路と、複数の室内機側冷媒回路とを接続する為の空気調和機の冷媒ユニットであって、前記室外機側冷媒回路のガス管側に接続されるガス管と、前記室内機側冷媒回路のガス管側に接続される複数のガス管側分岐配管と、前記ガス管と前記ガス管側分岐配管に分岐するガス管分岐部と、前記室外機側冷媒回路の液管側に接続される液管と、前記室内機側冷媒回路の液管側に接続される複数の液管側分岐配管と、前記液管から前記液管側分岐配管に分岐する液管分岐部と、前記液管内の冷媒と前記ガス管内の冷媒とが熱交換できるように、前記液管と前記ガス管との間に設けられた熱交換器部と、前記ガス管上で暖房時の冷凍サイクルで前記熱交換器部より上流側に設けた第三電磁弁と、前記ガス管上で暖房時の冷凍サイクルで前記熱交換器部より下流側に設けた第二電磁弁と、前記第三電磁弁と前記第二電磁弁を冷媒が通過しないように、暖房時の冷凍サイクルで前記第三電磁弁より上流側のガス管と、前記第二電磁弁より下流側のガス管とをバイパスする為の第一バイパス通路と、前記第一バイパス通路上に設けられた第一電磁弁と、前記第二電磁弁と前記熱交換器部との間と、前記液管側分岐部と前記熱交換器部との間をバイパスする第二バイパス通路と、前記第二バイパス通路上に設けられた第一電子膨張弁とを少なくとも備えたことを特徴とする。
【発明の効果】
【０００９】
本発明による分岐ユニットにより、暖房運転時に室内機の稼動台数に応じて分岐ユニット内の電磁弁や電子膨張弁を制御することで、室外機にある圧縮機が短い時間にＯＮとＯＦＦを繰り返さない為、圧縮機の寿命を長くし、また快適な空調を行うことが出来る。
【図面の簡単な説明】
【００１０】
【図１】本発明での空気調和機の冷凍サイクル図である。
【図２】本発明での分岐ユニット内の冷凍サイクル図である。
【図３】本発明での冷房運転時での空気調和機の冷凍サイクル図である。
【図４】本発明での暖房運転時での空気調和機の冷凍サイクル図である。
【図５】本発明での低能力暖房運転時での空気調和機の冷凍サイクル図である。
【図６】本発明での除霜運転時での空気調和機の冷凍サイクル図である。
【図７】本発明での空気調和機の冷凍サイクル制御表である。
【図８】本発明での別実施例の分岐ユニットの冷凍サイクル図である。
【発明を実施するための形態】
【００１１】
本発明は、暖房運転時に、室内機が少数しか稼動していない場合に、室外機内にある圧縮機が短い時間にＯＮとＯＦＦを繰り返さないようにすることを目的として、ガス管内に流れる冷媒の一部を液管にバイパスすることで、室内機に流れる冷媒の量を減らすことを実現した。
【実施例１】
【００１２】
以下、本発明の実施の形態における分岐ユニットを用いた冷凍サイクルに関して、室外機に対して、分岐ユニットを介して３機の室内機が並列に接続されている場合について図１を基に説明する。
【００１３】
室外機は、能力可変型の圧縮機１と四方弁２と室外熱交換器３を備え、液管９およびガス管１２に接続される。圧縮機１から吐出した冷媒は四方弁２により流れ方向が切り替えられ、これにより暖房運転と冷房運転が切り替えられる。暖房運転時は、圧縮機１から吐出された冷媒は四方弁２を介してガス管１２に流れ、冷房運転時では圧縮機１から吐出された冷媒は四方弁２を介して室外熱交換器３を通って液管９に流れる。図示していないが、室外熱交換器３には、室外機の送風機が付設され、外気との熱交換を効率良く行っている。なお、図示していないが、冷媒の温度や圧力を計測するために、本室外機には温度センサや、圧力センサを設けている。
【００１４】
本発明での実施形態における分岐ユニットは、図１、図２に示すように、一台の室外機に対して三台の室内機を接続しており、室外機側の液管側に接続される液管９と、室内機の液管側に接続される複数の液管側分岐配管１０と、液管９から液管側分岐配管１０に分岐する液管分岐部１１と、室外機側のガス管側に接続されるガス管１２と、室内機のガス側に接続されるガス側分岐配管１３と、ガス管１２とガス管側分岐配管１３に分岐するガス管分岐部１４と、液管９とガス管１２のそれぞれを流れる冷媒間の熱交換をする熱交換器４と、そのガス管１２上で暖房時での熱交換器４の上流と下流に設けた電磁弁７b、７cと、暖房運転時で電磁弁７bより下流のガス管１２と電磁弁７cより上流のガス管１２とをバイパスすることで、暖房運転時に冷媒が電磁弁７b、７cを通過しないようにできる第一バイパス通路１５と、その第一バイパス通路１５上に設けた電磁弁７aと、ガス管１２上で電磁弁７bと熱交換器４との間と液管９上で熱交換器４と液管分岐部１１との間をバイパスするように設けた第二バイパス通路１６と、その第二バイパス通路１６上に設けた電子膨張弁８とを備えている。熱交換器４は液管９により室外熱交換器３に接続されるとともに、液管側分岐配管１０上に設けてある三個の電子膨張弁５a、５b、５cを介して各室内熱交換器６a、６b、６cに接続されている。各室内熱交換器６a、６b、６cに接続されている複数のガス側分岐配管１３を分岐ユニット内のガス管分岐部１４で一つにまとめ、そのガスが流れるガス管１２を熱交換器４に通過するように配管している。なお、図示していないが、温度センサや圧力センサを冷媒配管に備えて、配管内の冷媒の状態を計測している。この分岐ユニットは、図７に示すように冷房運転時、暖房運転時などに応じて電磁弁、電子膨張弁を図示していない室外機にある制御部によって制御されることで、分岐ユニット内の冷媒の流れが制御されている。
【００１５】
図示していないが、各室内機は、室内熱交換器とこれに付設された送風機を備え、これにより室内熱交換器を流れる冷媒と室内の空気との熱交換を効率よく行い、室内の温度を調節している。また、室内機の運転台数は常に室外機が把握し、管理している。なお、図示していないが、室内の温度を計測するために、各室内機には温度センサを設けている。
【００１６】
（冷房運転制御）上記構成における冷房運転時の動作を図３により説明する。冷房運転時には、四方弁２により、同図に付した矢印の方向に冷媒が流れ、室外熱交換器３が凝縮機、各室内熱交換器６a、６b、６cが蒸発器として作用する。すなわち、室外機において圧縮機１からの圧縮冷媒ガスは、四方弁２を通過し、室外熱交換器３で放熱する。それから、室外機にある電子膨張弁１９を通過する。この電子膨張弁１９は全開にする。そして、液管９を通って、分岐ユニットの熱交換器４を通過する。熱交換器４では、各室内機の室内熱交換器６a、６b、６cで放熱して温度が下がったガス冷媒と熱交換され、冷却される。その後、冷媒は液管分岐部１１により三つの液管側分岐配管１０a、１０b、１０cに分岐され、各液管側分岐配管上に設けられた電子膨張弁５a、５b、５cで減圧されて、低温の二層冷媒となる。次に、冷媒は各室内熱交換器６a、６b、６cに流れ込み、各室内熱交換器６a、６b、６cで、室内空気と熱交換されて蒸発し、ガス状の冷媒となる。その後、冷媒はガス側分岐配管１３a、１３b、１３cを通って再び分岐ユニットに戻り、ガス管分岐部１４で一つにまとめられ、ガス管１２を流れる。電磁弁７aと電磁弁８を閉め、電磁弁７bと電磁弁７cを開けることで、ガス管１２を流れる冷媒は熱交換器４へ入り、その熱交換器４で室外機から流れてきた冷媒を冷却する。熱交換器４を出た冷媒は、室外機の四方弁２を介して圧縮機１へ戻る。
【００１７】
この間における電子膨張弁８、電磁弁７a、７b、７cの制御は図７に示すように行われる。まず、室外機内にある制御装置により電子膨張弁５a、５b、５cを所定開度まで閉じるようにパルス制御し、冷媒を減圧する。電子膨張弁８は閉じている。また、電磁弁７bと７cは開けているが、電磁弁７aは閉じている。これにより、液管９を流れる冷媒と、ガス管１２を流れる冷媒を熱交換することができ、室内機の冷房能力を向上することが出来る。
【００１８】
（暖房運転制御）暖房運転時の動作を図４により説明する。暖房運転時には、四方弁２により、同図に付した矢印の方向に冷媒が流れ、室外熱交換器３が蒸発器、各室内熱交換器６a、６b、６cが凝縮器として作用する。すなわち、室外機において圧縮機１からの圧縮冷媒ガスは、四方弁２を通過し、分岐ユニットのガス管１２を流れる。ガス管１２に流れる冷媒は、分岐ユニット内にある熱交換器４を通過しないように電磁弁７bと電磁弁７cと電子膨張弁８を閉め、電磁弁７aを開けることで、電磁弁７aを設けている第一バイパス通路１５を通過する。そして、ガス管分岐部１４で分岐され、各室内機に流れ、室内熱交換器６a、６b、６cで室内空気と熱交換をする。その後、各液管側分岐配管１０a、１０b、１０c上に設けられた電子膨張弁５a、５b、５cで減圧した後、液管分岐部１１で一つにまとめまる。そして、分岐ユニット内の熱交換器４を通過して、室外機にある電子膨張弁１９を流れる。この電子膨張弁で冷媒を減圧している。その後、室外熱交換器３を流れる。この室外熱交換器３で冷媒は吸熱し、四方弁２を介して、圧縮機１へ戻る。
【００１９】
この間における電子膨張弁８、電磁弁７a、７b、７cは図７に示すように行われる。まず、室外機内にある制御装置により電子膨張弁５a、５b、５cは全開状態に保持され、電子膨張弁８は閉じている。次に、電磁弁７aは開けているが、電磁弁７b、７cは閉じている。これにより、室内機に入る冷媒が熱交換器で熱交換され冷却されない為、暖房能力が下がる問題を回避できる。
【００２０】
（低能力暖房運転制御）暖房運転時において、室内機の負荷が少ない場合の動作を図５により説明する。室外機は室内機の運転台数を常に監視しており、室内機の運転台数が１台など少数の場合は、室内機からの圧縮機１への負荷が小さい。そこで、圧縮機１の回転数を下げて、能力を抑えるよう制御する。圧縮機１の回転数が最低回転数に達し、さらに圧縮機１の能力を下げる必要がある場合、圧縮機１の回転数を下げることができないので、冷媒が室内機に流れる量を減らして、冷凍サイクルを制御する。本実施例では、室内熱交換器６cのみに冷媒を流している場合について説明するが、本発明はこれに限定するものではなく複数台（本実施例では二台）でも良い。
【００２１】
この場合における分岐ユニット内の電子膨張弁８、電磁弁７a、７b、７cの制御は図７に示すように行われる。まず、室外機内にある制御装置により運転している室内機の室内熱交換器６cと接続されている電子膨張弁５cは全開状態に保持される。第二バイパス通路１６上に設けられた電子膨張弁８はパルス制御で冷媒を減圧している。それ以外の電子膨張弁５a、５bは閉じている。また、電磁弁７a、７cは開けているが、電磁弁７bは閉じている。
【００２２】
上記の制御により、分岐ユニット内に流れる冷媒は、図５に付した矢印の方向に流れる。圧縮機１からの圧縮ガスは、四方弁２を通過し、分岐ユニットのガス管１２に入る。電磁弁７aと電磁弁７cの二つの電磁弁が開いている為、冷媒はガス管１２と第一バイパス通路１５に分配される。第一バイパス通路１５を流れる冷媒は電磁弁７aを介して、稼働中の室内熱交換器６cに流れる。一方、ガス管１２を流れる冷媒は電磁弁７cを介して分岐ユニット内の熱交換器４を流れる。その後、冷媒は電子膨張弁８は開いているが、電子膨張弁７bは閉じている為、電子膨張弁８を通過し、室内機から流れて来た冷媒と合流し、室外機へと流れていく。
【００２３】
このように、ガス管１２内に流れる冷媒の一部を液管９へバイパスすることで、室内機へ流入する冷媒量を制限して暖房能力の最小限度を小さくすることが出来る。また、分岐ユニット内の熱交換器４でガス管１２内の高圧ガス冷媒と液管９内の低圧冷媒が熱交換する為、液管９内の低圧冷媒の温度が上がり、室外熱交換器３の霜が着きにくくなる効果もある。このように、電子膨張弁８の開度を制御することで、第一バイパス通路１５に流れる冷媒の流量を調整し、それにより室内機へ流れる冷媒の流量を調整している。
【００２４】
（除霜運転制御）暖房運転時に、室外熱交換器３に冷たい冷媒が流れる為、霜が着いてしまう。その霜を取り除く為に、空気調和機は除霜運転を行う必要がある。除霜運転時の動作を図６により説明する。除霜運転時には、四方弁２により、同図に付した矢印の方向に冷媒が流れ、室外熱交換器３が凝縮機、分岐ユニット内にある熱交換器４が蒸発器として作用する。すなわち、室外機において圧縮機１からの圧縮冷媒ガスは、四方弁２を通過し、室外熱交換器３で放熱し、室外熱交換器３に着いた霜を溶かす。それから、液管９を通って分岐ユニットの熱交換器４を通過する。そして、電子膨張弁５aと電子膨張弁５bと電子膨張弁５cを閉じ、電子膨張弁８を開けることで、冷媒は電子膨張弁８に流れ、電子膨張弁８で低圧化される。また、電磁弁７aと電磁弁７bを閉じ、電磁弁７cを開けることで、冷媒を再び熱交換器４に通過させ、液管９内の冷媒と熱交換させる。その後、冷媒はガス管１２を通過して、室外機の四方弁２を介して圧縮機１へ戻る。
【００２５】
この間における電子膨張弁８、電磁弁７a、７b、７cの制御は図７に示すように行われる。まず、室外機内にある制御装置により電子膨張弁５a、５b、５cは閉め、電子膨張弁８はパルス制御している。電磁弁７cは開けているが、電磁弁７a、７bは閉じている。これにより、除霜運転時に室内機に冷媒が流れない為、室内の温度が下がる心配がなくなる。
【００２６】
また、本発明として上記の実施例以外にも考えられる。例えば、図８のような冷凍サイクルが考えられる。
【実施例２】
【００２７】
上記の発明以外に別実施例として図８に示すような分岐ユニットがある。従来技術の分岐ユニットでは、冷房運転時、液管９を流れる冷媒を分流する液管分岐部１１があり、その分流した冷媒は各液管分岐配管を流れ、各々の液管分岐配管に設けられた電子膨張弁５a、５b、５cで減圧される。この減圧した冷媒と、分岐ユニットに入ってきた冷媒とを熱交換させる熱交換器４を通過させることで、液管９内に流れる冷媒を冷却している。この従来技術に本発明の、暖房運転時に低能力で動作する場合に液管９に冷媒をバイパスする発明を追加したものを以下に説明する。液管分岐部１１と熱交換器４との間と、ガス管１２とをバイパスする第二バイパス通路１６と、第二バイパス通路１６上に設けられた電子膨張弁８と、液管９とガス管１２とをバイパスする第三バイパス通路１７と、第三バイパス通路１７上に設けた電子膨張弁１８とを備えた分岐ユニットである。
【００２８】
冷房運転時の冷媒の流れは、電子膨張弁８と電子膨張弁１８を閉めて、液管９、熱交換器４、液管９、液管分岐部１１、電子膨張弁５a、５b、５c、再び熱交換器４、室内熱交換器３、ガス管分岐部１４と通過する。暖房運転時の冷媒の流れは、電子膨張弁８と電子膨張弁１８を閉め、冷房時の逆の流れで、ガス管１２、ガス管分岐部１４、室内熱交換器３、熱交換器４、電子膨張弁５a、５b、５c、液管分岐部１１、液管９、熱交換器４、液管９と通過する。暖房運転時で低能力運転の場合、電子膨張弁８を開け、電子膨張弁１８を閉めることで、前記第二バイパス通路１６に冷媒の一部を流すもので、この場合の冷媒の流れは、ガス管１２、第二バイパス通路１６、液管９、熱交換器４、液管９と通過する。これにより、暖房運転時に運転している室内機が少数の場合、電子膨張弁８の開度を調整することで冷媒の一部を液管９に流すことができ、それにより室内機に流れる冷媒の量を調整できる為、圧縮機１のサーモオフなどの問題を解決することが出来る。また、液管９に設けてある熱交換器４で熱交換をすることで、室外機に流れる冷媒を暖めることができ、室外熱交換器３に霜が着くのを軽減することが出来る。除霜運転時の冷媒の流れは、電子膨張弁１８を開け、電子膨張弁５a、５b、５c、８を閉めることで、冷媒を第三バイパス通路１７に流すものである。これにより、除霜運転時、室内機に温度の低い冷媒が流れない為、室内が冷やされる恐れが無い。
【００２９】
なお、本発明では、分岐ユニット内の冷凍サイクル制御する制御部を室外機に設けているが、本発明はこれに限定するものではなく、分岐ユニット内などに設けても良い。
【符号の説明】
【００３０】
１  圧縮機
２  四方弁
３  室外熱交換器
４  熱交換器
５a、５b、５c    電子膨張弁
６a、６b、６c    室内熱交換器
７a、７b、７c    電磁弁
８  電子膨張弁
９  液管
１０  液管側分岐配管
１１  液管分岐部
１２  ガス管
１３  ガス管側分岐配管
１４  ガス管分岐部
１５  第一バイパス通路
１６  第二バイパス通路
１７  第三バイパス通路
１８  電子膨張弁
１９  電子膨張弁
【図１】
2010230288.tif 000003
【図２】
2010230288.tif 000004
【図３】
2010230288.tif 000005
【図４】
2010230288.tif 000006
【図５】
2010230288.tif 000007
【図６】
2010230288.tif 000008
【図７】
2010230288.tif 000009
【図８】
2010230288.tif 000010